(57)【要約】【課題】  特定の農業用組成物粒剤を広く且つ均一な範囲に振り出し散布することができるとともに、振り出し毎に吐出する農薬粒剤の量にバラツキが生じず、散布終了後にも容器内に農薬粒剤が残存しにくい散布容器の提供。【解決手段】  内蓋によって封止された開口部を備えた５〜８角柱状の容器体と、該開口部に着脱自在に形成された外蓋とからなる農業用組成物粒剤の充填兼散布容器であって、該容器体は角柱状に形成された部分より縮径して形成された把持部をその下部に備えるとともに、前記内蓋には農業用組成物粒剤の吐出口が内蓋中心より偏心して１個設けられていることを特徴とする農業用組成物粒剤散布容器。【選択図】  図３
2008245525.tif 000002
【特許請求の範囲】
【請求項１】
内蓋によって封止された開口部を備えた５〜８角柱状の容器体と、該開口部に着脱自在に形成された外蓋とからなる農業用組成物粒剤の充填兼散布容器であって、該容器体は角柱状に形成された部分より縮径して形成された把持部をその下部に備えるとともに、前記内蓋には農業用組成物粒剤の吐出口が内蓋中心より偏心して１個設けられていることを特徴とする農業用組成物粒剤散布容器。
【請求項２】
前記吐出口が４〜８ｃｍ２の面積を有する、円、楕円、ラグビーボール断面形状のいずれかの形状に形成されていることを特徴とする請求項１に記載の農業用組成物粒剤散布容器。
【請求項３】
前記吐出口が紙、プラスチックフィルムまたは金属フィルムに粘着剤を塗布したシール材によって開封自在に封止されていることを特徴とする請求項１または請求項２のいずれかに記載の農業用組成物粒剤散布容器。
【請求項４】
前記吐出口の内蓋外周側の端部と内蓋外周との最短の距離が０ｍｍ〜農業用組成物粒剤の短径＋１ｍｍであることを特徴とする請求項１ないし３のいずれかに記載の農業用組成物粒剤散布容器。
【請求項５】
農業用組成物粒剤の散布容器が紙、プラスチック、金属又は紙にプラスチックをラミネートした材質のもので構成される請求項１ないし４のいずれかに記載の農業用組成物粒剤散布容器。
【請求項６】
散布される農業用組成物粒剤が、（１）１粒あたりの重量が０．０３ｇ〜０．３ｇ、見掛け比重が０．３以上１．０未満であって、（２）１粒の短径が３〜７ｍｍ、短径と長径の比率が１〜３、曲面で構成された外的形状を有し、かつ、（３）水面に浮いた農業用組成物粒剤が水面を浮遊及び拡散し、崩壊分散するまでの時間が３０分以内であることを特徴とする請求項１ないし５のいずれかに記載の農業用組成物粒剤散布容器。
【請求項７】
請求項３ないし６のいずれかに記載の農業用組成物粒剤の散布容器のシール材を剥がし、前記吐出口から農業用組成物粒剤を振り出して散布することを特徴とする農業用組成物粒剤散布方法
【請求項８】
散布する動作が、前記散布容器の下部を持って、弧を描くように前方に振り出し、かつ、水田に対し１５〜２５回振りだすことを特徴とする請求項７に記載の農業用組成物粒剤散布方法。
【発明の詳細な説明】
【技術分野】
【０００１】
本発明は、農業用組成物粒剤の散布容器及びその散布方法に関し、更に詳細には、特定の性質を有する浮遊性農薬製剤の散布容器及びその散布方法に関するものである。
【背景技術】
【０００２】
現在の水稲栽培においては、育苗箱で苗を育て本田へ移植する方法が主体となっており、水稲の苗移植前後に病害虫や雑草防除を目的として様々な農薬が使われている。農薬の剤型としては特に粒剤を使用する場合が多く、粒剤の施用に際しては均一な散布が求められており、現在、様々な散布容器が使用されている。
【０００３】
例えば、農薬粒剤の散布容器としては、特許文献１には円筒の底面に小孔を設け、微粒剤が特定の速度で流出するように調節した農薬微粒剤の散布容器が開示されている。また、特許文献２には農薬粒剤散布容器に円形の平面の蓋をし、該蓋は該平面に該農薬組成物を流出させるために直線状に配列した円孔の列を１ないし３列持ち、該円孔の列が該蓋の直径の片側に、該直径に並行に配列されており、且つ該円孔の各々が該粒剤散布装置に入れた粒剤の直径又は長径よりより大きい径を持つことを特徴とする蓋に関する考案が開示されている。さらに、特許文献３には、特許文献２を改良した散布速度及び散布幅の大きい散布容器が、特許文献４及び特許文献５には農薬粒剤包装用の袋又は箱の一部に小孔を設けた散布用包装容器が開示されている。
【０００４】
上記特許文献１〜３に記載された散布容器は農薬微粒剤或いは農薬粒剤を自然落下により局所的に散布するためのものであり、また包装容器からの詰め代えが必要である。上記特許文献４及び５に記載された発明は包装容器として使用できるが、いずれも農薬製剤を孔から自然落下させ、とくに、特許文献４は土壌や水田局所的な場所、特許文献５は主に面積の小さな育苗箱等への散布を目的としたものである。
【０００５】
すなわち、上記の容器はいずれも、農薬微粒剤或いは農薬粒剤を限定的な範囲で自然落下的に散布することには適していても、広い範囲に均一に散布するには、その散布容器の形状や散布用吐出孔の形状・大きさ・数などの制約により効果的に散布できるものではなかった。
【０００６】
その点、特許文献６に記載の散布容器は、詰め替えが不要であるのみならず、特定の性質を有する浮遊性農薬製剤を振り出して水田に効率よく散布することができるものである。とりわけ、後述する特定の性質を有する浮遊性農薬製剤は、各粒が水面に浮遊しながら有効成分を拡散する性質を有している点に特徴を有しており、かかる浮遊性農薬製剤の特徴を最大限生かすためには、当該製剤を水田にある程度の広さに散布することが望ましく、特許文献６に記載の散布容器はこのような広範囲の散布に適したものである。しかしながら、該容器を用いた場合であっても、振り出し毎に吐出する農薬粒剤の量にバラツキがあったり、散布終了後にも容器内に農薬粒剤が残存してしまう等の問題が見られた。
【０００７】
【特許文献１】実開昭６１−１２３８１号公報
【特許文献２】実開平７−２８０８２号公報
【特許文献３】特開平１０−３２４３７６号公報
【特許文献４】特開平７−２６４９６３号公報
【特許文献５】特開平１０−２５７８４６号公報
【特許文献６】特開２０００−３００１４３号公報
【発明の開示】
【発明が解決しようとする課題】
【０００８】
そこで本発明は、農業用組成物粒剤の散布容器のかかる欠点を克服し、特定の農業用組成物粒剤を広く且つ均一な範囲に振り出し散布することができるとともに、振り出し毎に吐出する農薬粒剤の量にバラツキが生じず、散布終了後にも容器内に農薬粒剤が残存しにくい散布容器の提供をその課題とするものである。
【課題を解決するための手段】
【０００９】
本発明は、内蓋によって封止された開口部を備えた５〜８角柱状の容器体と、該開口部に着脱自在に形成された外蓋とからなる農業用組成物粒剤の充填兼散布容器であって、該容器体は角柱状に形成された部分より縮径して形成された把持部をその下部に備えるとともに、前記内蓋には農業用組成物粒剤の吐出口が内蓋中心より偏心して１個設けられていることを特徴とする農業用組成物粒剤散布容器である。
【発明の効果】
【００１０】
すなわち、本発明の農業用組成物粒剤の散布容器は、容器体の形状および、吐出口の形状・大きさ・数・位置を農業用組成物粒剤の振り出し散布に最適なものとしているため、該粒剤を簡便に遠くへ散布することができ、また振り出し回数も少なく、振り出し散布毎の散布量のバラツキが少ないため効率よく均一に水田面へ散布することができる。また、散布終了後に農薬粒剤が容器内に残存してしまうこともなく粒剤を無駄なく使い切ることが可能であり、さらに、本発明の農業用組成物粒剤の散布容器は包装容器も兼ねているため、農薬等の散布容器への詰め替えが不要であり、労力の低減化も可能である。
【発明を実施するための最良の形態】
【００１１】
以下、本発明の農業用組成物粒剤の散布容器の実施態様を、図面に基づいて具体的に説明する。なお、本発明はこれら実施態様に何ら制約されるものではない。
【００１２】
図１は、本発明に係る農業用組成物粒剤の保管時の散布容器の斜視図、図２は同散布容器の正面図、図３は同散布容器の外蓋を外して吐出口を開封した状態を示す斜視図、図４は図３の状態における平面図である。図中、1は容器体、２は外蓋、１０は角柱部、１１は把持部、１２は開口部、１３は内蓋部、１４は吐出口、１１１は凹部、１２１はネジ部をそれぞれ示す。図に示すように、容器体１は内蓋部１３によって封止された開口部１２をその上端に有しており、保管時には、開口部１２には外蓋２が装着されている。
【００１３】
容器体１は、図に示すように、６角柱に形成された角柱部１０を有し、該角柱部１０の上部はその上端部より開口部１０に向けて徐々に径がすぼまっていく略円柱形状に形成されている。また、その下方には角柱部１０の径を絞り込むように把持部１２が形成されている。より詳しくは、把持部１２は、容器体１の全長（高さ）のおよそ３分の１よりもやや下の位置から容器体１の底部に向けて、正面視または側面視で容器体１の中心に向けて緩やかな曲線を描く括れ状に形成されている。すなわち、把持部１２は、散布時に容器を片手で握りやすいように、角柱部１０よりも径が小さく、また、把持部１２の上下よりも中央付近の径がややすぼまった略円柱形状に形成されており、更に、その全面にわたって、容器の把持をより確実にするための滑り止めとして機能する凹部１２１が同間隔をあけて溝状に形成されている。なお、かかる凹部１２１は滑り止めとしての機能を有していれば、凹部のみならず、凸状に形成してもよい。
【００１４】
本発明の散布容器形状は本実施態様の６角柱に限られるものではないが、振り出し散布時に遠心力等の作用で、容器内で粒剤が螺旋運動を起こしてスムーズな吐出の妨げにならないよう、５角〜８角の角柱形状とすることが好ましい。また、角柱部はその上端が開口部から０ｃｍ〜７ｃｍに位置し、角柱部の長さは容器体全長の６０〜８０％、より好ましくは５０〜７５％である。さらに、その寸法に関しては、特に制約されるものではないが、その使用し易さの点から、太さが３０ｍｍから１００ｍｍ、好ましくは４０ｍｍから７０ｍｍであり、高さ（長さ）は２００ｍｍから５００ｍｍ、好ましくは２５０ｍｍから４００ｍｍである。
【００１５】
容器体１の材質としては、ポリエチレン、ポリプロピレン、ポリエチレンテレフタレート、ポリスチレンやＡＢＳなどの合成樹脂や、紙、プラスチック、アルミニウム等の金属あるいは紙にプラスチックをラミネートしたもの等が挙げられる。紙にプラスチックをラミネートする場合、層間に酸化ケイ素、アルミニウム等を存在させても良い。
【００１６】
図４に示すように、開口部１２は内蓋部１３によって封止されており、更に、内蓋部１３には、農業用組成物粒剤を散布するための吐出口１４が該内蓋部１３の中心より偏心して１個設けられている。より具体的には、ラグビーボール断面形状に形成された吐出口１４が、内蓋１３の外周寄りに一箇所設けられている。このように、吐出口を内蓋１３の中心ではなく、外周寄りに偏心して設けることにより、容器体内の粒剤の残量にかかわらず均一に散布することができるとともに、散布終了後に容器内に農薬粒剤が残存することがなく使い切ることができる。なお、吐出口１４の形状はラグビーボール断面形状に限定されず、例えば、図５の円形、図６の楕円形状などでも良い。
【００１７】
吐出口１４の位置は内蓋１３の外周付近に位置することが好ましく、より詳しくは、吐出孔の内蓋外周側の端部１４１と内蓋外周との最短の距離が０ｍｍ〜農業用組成物粒剤の短径＋１ｍｍ程度に設置することが好ましい。すなわち、吐出口の位置が内蓋外周から離れすぎると、粒剤を振り出した場合、充填された粒剤が半分以下になった時点から排出の１回あたりの吐出量にバラツキが生じるためである。
【００１８】
また、本発明においては、吐出口１４の面積（以下、「吐出面積」という；面積Ａ）に対する内蓋１３の面積（面積Ｂ）から吐出面積Ａを引いた面積（以下、「阻止面積」という；面積（Ｂ−Ａ））の比（以下、「吐出口比」という）が、粒剤の散布量および散布均一性と密接に関連する。すなわち、散布時には、吐出口１４からのみ粒剤が吐出され、それ以外からは吐出されないため、散布量を増やすためには吐出口１４を大きくすること、すなわち吐出口比を大きくすることが必要である。しかし一方、吐出口１４を大きくすると散布容器中の粒剤が数回の散布操作で消失してしまうため、均一に散布できないと共に効率的ではない。従って、散布量と散布回数を考慮した上で、吐出口比を決める必要がある。
【００１９】
この吐出孔と平均粒径との好適な関係は、例えば短径が３〜７ｍｍ、長径が短径の１〜３倍、見掛け比重が０．３以上１．０未満の粒剤を、１０ａ当たり２５０ｇ散布する場合は、吐出孔の面積は４〜８ｃｍ２、好ましくは４.５〜７．５ｃｍ２程度、さらに好ましくは５．３〜７.１ｃｍ２程度とすることが望ましい。上記の条件で吐出孔の面積が８ｃｍ２を超える場合は、１回当たりの吐出量が多すぎて均一に散布することが難しく、また、４ｃｍ２未満では１回当たりの吐出量が少なすぎることがある。なお、ここで、「見かけ比重」とは、粒子間の空隙を含んだ単位堆積当たりの質量のことをいう。以下同様とする。
【００２０】
内蓋１３の材質は、特に限定されるものではないが、例えば散布容器と同じ材質を用いてもよく、散布容器を成型する際に一体成型するか、あるいは別途用意したものを散布容器の上面開口部に接着剤を用いて、又は、ヒートシールないし電磁誘導加熱シールにより取り付けることもできる。吐出口１４は、内蓋１３の一部を開口して形成されているが、製品の出荷時には、吐出口１４そのものは封止されていることが望ましい。すなわち、図７に示すように、吐出口１４全体を覆って貼付できるシール材１５で予め吐出口１４を封止しておき、使用時にはシール材１５を剥がして開封する。かかるシール材は、吐出口全体を封止できるものであれば特に制約されるものではないが、その材質は例えば紙類、ポリエステルフィルム等のプラスチック類、アルミ蒸着ポリエステルフィルム等のプラスチック類をアルミニウム等の金属で加工したもの又は金属箔などであり、これらに粘着剤を塗布したものである。本発明において使用する粘着剤は、農薬輸送中及び倉庫に保管中に自然に剥がれず、散布する際には容易に剥がすことが可能なものであれば、再接着可能なものでもまた、再接着不可能なものであっても特に制約なく使用することができる。市販されている接着剤の例としては、アクリル系の糊粘着剤ＰＡ−Ｔ１（リンテック株式会社製）、感圧性接着剤ＢＰＳ−４６２７−６（東洋インキ製造株式会社製）等が挙げられる。かかるシール材は吐出口付近のみ、または内蓋全体に貼付けられていてもよい。更に、吐出口を封止する別の例としては、内蓋自身にミシン線を１個の吐出孔を開設できるように設け、使用時にこのミシン線に沿って切り取って吐出口を設けるものでもよい。
【００２１】
外蓋２の立ち上がり内周面には、ネジ溝部が形成されており、該ネジ溝部と開口部１０のネジ部１２１が螺合することにより、外蓋２を開口部１２に着脱することができる。外蓋２はねじ込み式のほか、かぶせ式のものでもよい。
【００２２】
本発明の散布容器に充填散布される粒剤は、短径が０．６〜２ｍｍ、長径がその１〜３倍程度の従来のものであってもよいが、より好ましくは短径が３〜７ｍｍ、長径がその１〜３程度の豆つぶ剤（「豆つぶ」は登録商標）と呼ばれるものである。この粒剤の形状は曲面で構成された外的形状を有していれば特に制約はなく、例えば球状、円柱状、タワラ状、まゆ状、楕円形等の何れであってもよい。豆つぶ剤の具体例については、例えば、特開２０００−３０２６０２号公報、特開２０００−３１９１０５号公報、又は、特開２００１−１１４６０３号公報等に記載されている。
【００２３】
次に、本発明の散布容器による粒剤の散布方法について説明する。まず、粒剤の散布容器の内蓋１３のシール材１５を剥がすか或いはミシン目に沿って吐出口を開封し、次いで本発明の散布容器の把持部１２を持って弧を描くように前方に振り出すこと（以下、「手振り」という）により、吐出口１４から粒剤を散布する。
【００２４】
粒剤を散布するための手振り動作は、省力化の点からは少ない程良いが、圃場全体に均一に散布するためには、ある程度の手振り動作の回数が必要となる。この手振り動作の回数は、粒剤の大きさ、粒剤中の薬剤の水溶性、土壌吸収性、拡散性等により異なるが、一般には１０ａの水田の場合、１個の散布容器で、１０〜３５回程度であり、より好ましくは１５〜２５回である。１５〜２５回の散布であれば、後述する浮遊性粒剤を使用した場合、該粒剤の最大の能力を発揮することができる。
【００２５】
また、手振り動作で散布できる距離は、充填する粒剤として後述する浮遊性農薬製剤の粒剤を用いた場合、個人差もあるが、５〜７ｍ程度までは特に過大な労力を伴わずに散布することができる
【００２６】
本発明の散布容器に充填する粒剤は、前記の通り、農薬、肥料等を有効成分であれば特に制約はないが、特に好ましく充填される粒剤の例としては、成分として農薬有効成分、界面活性剤、固体担体、水面浮遊性付与剤および必要に応じてその他補助剤を含有する浮遊性農薬製剤が挙げられる。
【００２７】
この浮遊性農薬製剤で用いられる農薬有効成分としては、固体あるいは液体状の何れでも用いることができ、この農薬活性成分は水に難溶性あるいは易溶性であってもよく、例えば、除草剤、殺菌剤、殺虫剤、植物成調節剤等の農薬活性成分が用いられるが、とりわけ水面施用において有用な農薬活性成分が好適である。また、界面活性剤も、農薬製剤に一般的に用いられるものが使用でき、例えば、ポリエチレングリコール高級脂肪酸エステル、ポリオキシエチレンアルキルエーテル、ポリオキシエチレンアルキルアリールエーテル、ポリオキシエチレンアリールフェニルエーテル、ソルビタンモノアルキレート、アセチレンアルコール及びアセチレンジオール並びにそれらのアルキレンオキシドを付加物等のノニオン性界面活性剤、アルキルアリールスルホン酸塩、ジアルキルスルホン酸塩、リグニンスルホン酸塩、ナフタレンスルホン酸塩及びその縮合物、アルキル硫酸エステル塩、アルキル燐酸エステル塩、アルキルアリール硫酸エステル塩、アルキルアリール燐酸エステル塩、ポリオキシエチレンアルキルエーテル硫酸エステル塩、ポリオキシエチレンアルキルアリールエーテル硫酸エステル塩、ポリオキシエチレンアリールフェニルエーテル燐酸エステル塩、ポリカルボン酸型高分子活性剤等のアニオン性界面活性剤等、さらにはシリコーン系界面活性剤、フッ素系界面活性剤、アセチレン系界面活性剤を挙げることができる。
【００２８】
さらに、上記浮遊性農薬製剤で用いられる固体担体としては、水溶性あるいは非水溶性の固形担体を用いることができ、水溶性固形担体としては、例えば、硫酸アンモニウム、重炭酸アンモニウム、硝酸アンモニウム、塩化アンモニウム、塩化カリウム、硫酸ナトリウム、硫酸マグネシウム、クエン酸ナトリウム、炭酸ナトリウム、炭酸水素ナトリウム等の有機又は無機酸塩類、クエン酸、コハク酸等の有機酸類、蔗糖、チクトース等の糖類、尿素等を挙げることができる。また、非水溶性固形担体としては一般的には鉱物質微粉が用いられ、例えば、クレー類、炭酸カルシウム、ベントナイト、タルク、珪藻土、ステアリン酸カルシウム、ホワイトカーボン等を挙げることができる。
【００２９】
また、水面浮遊性付与剤は、粒状の浮遊製剤を散布した際、各粒が水中に沈むことなく、水面に浮遊する性質を付与するもので、独立した１個または複数個の気室を有する物質である。具体的には、例えば、真珠岩や黒曜石よりなるパーライト、シラスよりなる発泡シラス、アルミノシリケート系で焼成してなるフィライト、珪酸ソーダあるいは硼砂を発泡させたマイクロバルーン、軽石、粒状珪藻土、粒状活性炭、木粉、コルク粉、フェノール樹脂よりなるフェノールマイクロバルーン、エポキシ樹脂よりなるエコスフェアー、ポリウレタンよりなるポリウレタンフォーム、ポリアクリロニトリル、ポリ塩化ビニリデンよりなるマイクロスフェアー等が挙げられるが、中でもマイクロスフェアーが好適である。マイクロスフェアーは、それ自体の浮力によって水面に浮遊させる性質を付与するのではなく、これを用いて成形する際、非常に多くの空気を造粒物に混入させることができ、即ち、非常に少ない含有量でも効果が高いこと、又、紫外線によって中空構造が容易に破壊されるため、いつまでも水面を漂うことがない点で好ましい。
【００３０】
この浮遊性農薬製剤は、より好ましくは次の条件（１）〜（３）を満足するように成形されたものである。
（１）１粒あたりの重量が０．０３ｇ〜０．３ｇ、見掛け比重が０．３以上１．０未満。
（２）１粒の短径が３〜７ｍｍ、短径と長径の比率が１〜３、曲面で構成された外的形状を有する。
（３）水面に浮いた農業用組成物粒剤が水面を浮遊及び拡散し、崩壊分散するまでの時間が３０分以内である。
（４）好ましくはその１粒当たりの圧縮崩壊強度は０.１ｋｇｆ以上である。
【００３１】
本発明の散布容器は、その状態で販売されるものであり、購入後、外蓋をはずし、内蓋のシール材を剥離することにより、すぐに圃場に散布することができるものであるから、詰め替えの操作がいらず、安全性が高いものである。また、手振りにより散布することができるから、ある程度の広さに散布することは容易であり、かつ、調整された吐出孔の存在により、均一に散布することができるから、散布方法としても有利なものである。さらに、充填する粒剤として浮遊性農薬製剤を用い、水田に散布した場合には、散布の均一性と農業用組成物粒剤の浮遊性及び拡散性とが相まって、容易に水田全体に農薬を散布することが可能となる。
【実施例】
【００３２】
次に実施例を挙げ、本発明をさらに詳しく説明するが、本発明はこれら実施例等に何ら制約されるものではない。
【００３３】
実  施  例  １
上部角柱部が、一辺３８ｍｍ、長さ（高さ）２００ｍｍの６画柱構造を有し、その下部の把持部が直径７０ｍｍ長さ８０ｍｍの円柱状であるポリエチレン製容器を調製した。この容器に、短径５ｍｍ、長径８ｍｍ、見掛け比重が０.３７の農業用組成物粒剤２５０ｇを充填した。さらに、ポリエチレン−アルミニウムラミネートシートに直径２８ｍｍの円形の吐出口を開口部外周から４ｍｍの位置に設け、該吐出口を同材質のシートで粘着剤により貼り付けシールしたものを、シールした面を外側に容器開口部にヒートシールし、農薬粒剤が充填された散布容器を得た。
【００３４】
実  施  例  ２
上部角柱部が、一辺４５ｍｍ、長さ（高さ）２００ｍｍの５画柱構造を有し、その下部の把持部が直径７０ｍｍ長さ８０ｍｍの円柱状であるポリエチレン製容器を調製した。この容器に、短径５ｍｍ、長径８ｍｍ、見掛け比重が０.３７の農業用組成物粒剤２５０ｇを充填した。さらに、ポリエチレン−アルミニウムラミネートシートに直径２８ｍｍの円形の吐出口を開口部外周から４ｍｍの位置に設け、該吐出口を同材質のシートで粘着剤により貼り付けシールしたものを、シールした面を外側に容器開口部にヒートシールし、農薬粒剤が充填された散布容器を得た。
【００３５】
実  施  例  ３
上部角柱部が、一辺２９ｍｍ、長さ（高さ）２００ｍｍの８画柱構造を有し、その下部の把持部が直径７０ｍｍ長さ８０ｍｍの円柱状であるポリエチレン製容器を調製した。この容器に、短径５ｍｍ、長径８ｍｍ、見掛け比重が０.３７の農業用組成物粒剤２５０ｇを充填した。さらに、ポリエチレン−アルミニウムラミネートシートに直径２８ｍｍの円形の吐出口を開口部外周から４ｍｍの位置に設け、該吐出口を同材質のシートで粘着剤により貼り付けシールしたものを、シールした面を外側に容器開口部にヒートシールし、農薬粒剤が充填された散布容器を得た。
【００３６】
比  較  例  １
上部角柱部が、一辺５５ｍｍ、長さ（高さ）２００ｍｍの４画柱構造を有し、その下部の把持部が直径７０ｍｍ長さ８０ｍｍの円柱状であるポリエチレン製容器を調製した。この容器に、短径５ｍｍ、長径８ｍｍ、見掛け比重が０.３７の農業用組成物粒剤２５０ｇを充填した。さらに、ポリエチレン−アルミニウムラミネートシートに直径２８ｍｍの円形の吐出口を開口部外周から４ｍｍの位置に設け、該吐出口を同材質のシートで粘着剤により貼り付けシールしたものを、シールした面を外側に容器開口部にヒートシールし、農薬粒剤が充填された散布容器を得た。
【００３７】
比  較  例  ２
上部角柱部が、一辺２０ｍｍ、長さ（高さ）２００ｍｍの１２画柱構造を有し、その下部の把持部が直径７０ｍｍ長さ８０ｍｍの円柱状であるポリエチレン製容器を調製した。この容器に、短径５ｍｍ、長径８ｍｍ、見掛け比重が０.３７の農業用組成物粒剤２５０ｇを充填した。さらに、直径２８ｍｍの円形の孔を吐出面の外周面から４ｍｍの位置に設けたポリエチレン−アルミニウムラミネートシートに同材質のシートを、粘着剤を用いて貼り付けて孔の部分をシールし、孔が開いている面を内側に円柱状容器の上面にヒートシールし、農薬粒剤が充填された散布容器を得た。
【００３８】
比  較  例  ３
直径７０ｍｍ長さ（高さ）２８０ｍｍの円柱状であるポリエチレン製容器を調製した。この容器に、短径５ｍｍ、長径８ｍｍ、見掛け比重が０.３７の農業用組成物粒剤２５０ｇを充填した。さらに、直径２８ｍｍの円形の孔を吐出面の外周面から４ｍｍの位置に設けたポリエチレン−アルミニウムラミネートシートに同材質のシートを、粘着剤を用いて貼り付けて孔の部分をシールし、孔が開いている面を内側に円柱状容器の上面にヒートシールし、農薬粒剤が充填された散布容器を得た。
【００３９】
試  験  例  １
試験者３人に各々、前記実施例１に記載した容器に準じて吐出口の直径がそれぞれ２２ｍｍ、２４ｍｍ、２６ｍｍ、２８ｍｍ、３０ｍｍの容器を準備した。吐出口のシールを剥がし、内側から外側に振りぬくよう（テニスのバックハンドの要領）にして散布した。散布容器内残量が１０ｇになるまで繰り返し、振り出した回数を測定した。
また農業用組成物粒剤の見掛け比重が０．４５のものを用いて、前記と同様に測定した。
結果を表１に示した。
【００４０】
【表１】
2008245525.tif 000003
【００４１】
本試験例から、吐出口の孔の直径は２８ｍｍ程度が好ましいことがわかる。
【００４２】
試  験  例  ２
試験者３人に各々、前記実施例１〜３及び比較例１〜３に記載した容器のシールを剥がし、内側から外側に振りぬくよう（テニスのバックハンドの要領）にして散布した。一振り毎に散布された重量を測定し、1回の吐出量（ｇ）を算出し、散布容器内残量が１０ｇ以下になるまで繰り返した。得られた吐出量から個々の変動係数を式１によって求めた。
［式１］  変動係数＝（標準偏差／平均値）×１００
さらに３人の変動係数の平均値を、容器の散布均一性（安定した吐出性）を表す指標とした。
結果を表２に示した。
【００４３】
【表２】
2008245525.tif 000004
【００４４】
本試験からは、変動係数が少ないほど、吐出量が安定していると考えられるため、５角〜８角柱が好ましいことが判明した。
【００４５】
試  験  例  ３  
試験者３人に各々、前記実施例１に記載した容器に準じて吐出口の直径が２８ｍｍであって、吐出孔が内蓋外周から０，２，４，６，８、１５、２１ｍｍに位置する容器を準備した。吐出口のシールを剥がし、内側から外側に振りぬくよう（テニスのバックハンドの要領）にして散布した。散布容器内残量が１０ｇになるまで繰り返し、振り出した回数を測定した。結果を表３に示した。
【００４６】
【表３】
2008245525.tif 000005
【００４７】
本試験からは、吐出孔の内蓋外周からの距離は０〜６ｍｍ、すなわち、０ｍｍ〜農業用組成物粒剤の短径＋１ｍｍが好ましいことが判明した。
【００４８】
試  験  例  ４
水平な土地に粒剤を透過しない程度のメッシュを有する網を水平に広げ、実施例１で製造した、粒剤の散布容器から上面のシールを剥がした後、この容器の把持部を手で握り、弧を描くように前方に振り出して、散布容器内残量が１０ｇになるまで繰り返し、各地点に散布された粒剤の量を測定した。この結果を表４〜表６に示す。
【００４９】
【表４】
2008245525.tif 000006
【００５０】
【表５】
2008245525.tif 000007
【００５１】
【表６】
2008245525.tif 000008
【図面の簡単な説明】
【００５２】
【図１】本発明に係る農業用組成物粒剤散布容器の斜視図。
【図２】本発明に係る農業用組成物粒剤散布容器の正面図。
【図３】本発明に係る農業用組成物粒剤散布容器の外蓋を外し吐出口が開封された状態を示す斜視図。
【図４】図３の状態の平面図。
【図５】図３の状態で吐出口の形状が異なる態様の平面図。
【図６】図３の状態で吐出口の形状が異なる態様の平面図。
【図７】本発明に係る農業用組成物粒剤散布容器の外蓋を外し吐出口がシール材にて封止された状態を示す平面図。
【図８】本発明に係る農業用組成物粒剤散布容器の右側面図。
【図９】本発明に係る農業用組成物粒剤散布容器の外蓋を取り付けた状態を示す平面図。
【図１０】本発明に係る農業用組成物粒剤散布容器の底面図。
【図１１】本発明に係る農業用組成物粒剤散布容器のＡ−Ａ断面図。
【図１２】本発明に係る農業用組成物粒剤散布容器のＢ−Ｂ断面図。
【図１３】本発明に係る農業用組成物粒剤散布容器のＣ−Ｃ断面図。
【図１４】本発明に係る農業用組成物粒剤散布容器のＤ−Ｄ断面図。
【図１５】本発明に係る農業用組成物粒剤散布容器の外蓋を外した状態の正面図。
【図１６】本発明に係る農業用組成物粒剤散布容器の外蓋を外した状態の背面図。
【図１７】本発明に係る農業用組成物粒剤散布容器の外蓋を外した状態の左側面図。
【図１８】本発明に係る農業用組成物粒剤散布容器の外蓋を外した状態の右側面図。
【図１９】本発明に係る農業用組成物粒剤散布容器のＧ−Ｇ断面図。
【図２０】本発明に係る農業用組成物粒剤散布容器のＨ−Ｈ断面図。
【符号の説明】
【００５３】
１  …  …  容器体
２  …  …  外蓋
１０  …  …  角柱部
１１  …  …  把持部
１２  …  …  開口部
１３  …  …  内蓋部
１４  …  …  吐出口
１１１  …  …  凹部
１２１  …  …  ネジ部
以  上
【図１】
2008245525.tif 000009
【図２】
2008245525.tif 000010
【図３】
2008245525.tif 000011
【図４】
2008245525.tif 000012
【図５】
2008245525.tif 000013
【図６】
2008245525.tif 000014
【図７】
2008245525.tif 000015
【図８】
2008245525.tif 000016
【図９】
2008245525.tif 000017
【図１０】
2008245525.tif 000018
【図１１】
2008245525.tif 000019
【図１２】
2008245525.tif 000020
【図１３】
2008245525.tif 000021
【図１４】
2008245525.tif 000022
【図１５】
2008245525.tif 000023
【図１６】
2008245525.tif 000024
【図１７】
2008245525.tif 000025
【図１８】
2008245525.tif 000026
【図１９】
2008245525.tif 000027
【図２０】
2008245525.tif 000028
【手続補正書】
【提出日】平成19年9月6日(2007.9.6)
【手続補正１】
【補正対象書類名】明細書
【補正対象項目名】００１２
【補正方法】変更
【補正の内容】
【００１２】
図１は、本発明に係る農業用組成物粒剤の保管時の散布容器の斜視図、図２は同散布容器の正面図、図３は同散布容器の外蓋を外して吐出口を開封した状態を示す斜視図、図４は図３の状態における平面図である。図中、１は容器体、２は外蓋、１０は角柱部、１１は把持部、１２は開口部、１３は内蓋部、１４は吐出口、１１１は凹部、１２１はネジ部、１４１は吐出口の内蓋外周側の端部をそれぞれ示す。図に示すように、容器体１は内蓋部１３によって封止された開口部１２をその上端に有しており、保管時には、開口部１２には外蓋２が装着されている。
【手続補正２】
【補正対象書類名】明細書
【補正対象項目名】００１３
【補正方法】変更
【補正の内容】
【００１３】
容器体１は、図に示すように、６角柱に形成された角柱部１０を有し、該角柱部１０の上部はその上端部より開口部１０に向けて徐々に径がすぼまっていく略円柱形状に形成されている。また、その下方には角柱部１０の径を絞り込むように把持部１２が形成されている。より詳しくは、把持部１２は、容器体１の全長（高さ）のおよそ３分の１よりもやや下の位置から容器体１の底部に向けて、正面視または側面視で容器体１の中心に向けて緩やかな曲線を描く括れ状に形成されている。すなわち、把持部１２は、散布時に容器を片手で握りやすいように、角柱部１０よりも径が小さく、また、把持部１２の上下よりも中央付近の径がややすぼまった略円柱形状に形成されており、更に、その全面にわたって、容器の把持をより確実にするための滑り止めとして機能する凹部１１１が同間隔をあけて溝状に形成されている。なお、かかる凹部１１１は滑り止めとしての機能を有していれば、凹部のみならず、凸状に形成してもよい。
【手続補正３】
【補正対象書類名】明細書
【補正対象項目名】００１７
【補正方法】変更
【補正の内容】
【００１７】
吐出口１４の位置は内蓋１３の外周付近に位置することが好ましく、より詳しくは、吐出口の内蓋外周側の端部１４１と内蓋外周との最短の距離が０ｍｍ〜農業用組成物粒剤の短径＋１ｍｍ程度に設置することが好ましい。すなわち、吐出口の位置が内蓋外周から離れすぎると、粒剤を振り出した場合、充填された粒剤が半分以下になった時点から排出の１回あたりの吐出量にバラツキが生じるためである。
【手続補正４】
【補正対象書類名】明細書
【補正対象項目名】００５３
【補正方法】変更
【補正の内容】
【００５３】
１  …  …  容器体
２  …  …  外蓋
１０  …  …  角柱部
１１  …  …  把持部
１２  …  …  開口部
１３  …  …  内蓋部
１４  …  …  吐出口
１１１  …  …  凹部
１２１  …  …  ネジ部
１４１  …  …  吐出口の内蓋外周側の端部
【手続補正５】
【補正対象書類名】図面
【補正対象項目名】図４
【補正方法】変更
【補正の内容】
【図４】
2008245525.tif 000029
【手続補正６】
【補正対象書類名】図面
【補正対象項目名】図５
【補正方法】変更
【補正の内容】
【図５】
2008245525.tif 000030
【手続補正７】
【補正対象書類名】図面
【補正対象項目名】図６
【補正方法】変更
【補正の内容】
【図６】
2008245525.tif 000031
【手続補正８】
【補正対象書類名】図面
【補正対象項目名】図７
【補正方法】変更
【補正の内容】
【図７】
2008245525.tif 000032